(57)【要約】【課題】眼鏡レンズに所望する装飾体を簡単に付与することができ、しかも、眼鏡レンズを取り替えることなく、適宜、装飾体のデザイン変更が可能となる、眼鏡レンズの装飾構造を提供する。【解決手段】眼鏡レンズの装飾構造が適用された眼鏡１０は、レンズ１２と、レンズ１２の表面に配置され、レンズ１２を智１６およびブリッジ１８に止めるためのレンズ止め部材２４とを含む。レンズ１２の表面とレンズ止め部材２４との間には、レンズ１２の表面で眼鏡使用者の視界の邪魔にならない場所に装飾体３２が配置される。装飾体３２は、ねじ部材２０およびねじ螺合部材２２によって、レンズ１２およびレンズ止め部材２４間に取付けられる。ねじ部材２０とねじ螺合部材２２との螺合を解除することで、装飾体３２は取り外し可能となる。【選択図】図１
0003102485.tif 000002
【実用新案登録請求の範囲】
【請求項１】
レンズ、
前記レンズの表面で視界の邪魔にならない部位に配置される装飾体、および
前記装飾体を取り替え可能に前記レンズに取付ける取付手段を含むことを特徴とする、眼鏡レンズの装飾構造。
【請求項２】
前記取付手段は、ねじ結合により、前記装飾体を前記レンズに取り替え可能に接続することを含む、請求項１に記載の眼鏡レンズの装飾構造。
【請求項３】
前記取付手段は、凹凸による嵌め合い結合により、前記装飾体を前記レンズに取り替え可能に接続することを含む、請求項１に記載の眼鏡レンズの装飾構造。
【請求項４】
レンズ、
前記レンズの一方主面に配置され、前記レンズを智および／またはブリッジに止めるためのレンズ止め部材、
前記レンズの一方主面と前記レンズ止め部材との間に配置され、且つ、前記レンズの一方主面の視界の邪魔にならない部位に配置される装飾体、
前記レンズと前記レンズ止め部材とを固定するためのねじ部材、および
前記ねじ部材に螺合されるねじ螺合部材を含み、
前記装飾体は、前記ねじ部材および前記ねじ螺合部材によって、前記レンズ止め部材と共に前記レンズに取付けられることを特徴とする、眼鏡レンズの装飾構造。
【請求項５】
前記装飾体は、
弾性を備えると共に前記レンズ表面の曲率よりも大きい曲率を有するプレート片からなる装飾体本体、および
前記装飾体本体の一方主面に配設される凸部を含み、
前記レンズは、前記凸部と嵌め合わされる凹部を含むことを特徴とする、請求項３に記載の眼鏡レンズの装飾構造。
【請求項６】
前記取付手段は、タック性を有する接着剤層により、前記装飾体を前記レンズに着脱自在に接続することを含む、請求項１に記載の眼鏡レンズの装飾構造。
【考案の詳細な説明】
【技術分野】
【０００１】
本願考案は、眼鏡レンズの装飾構造に関する。
【背景技術】
【０００２】
本願考案の背景となる従来技術には、レンズ面の一部領域に粗面加工を行い、粗面加工が行われた粗面加工領域の上に塗料による塗装、マスキングによる模様塗装、染色液による染色、金属膜の蒸着等を行うことにより、眼鏡用レンズに装飾を施したり、あるいは、レンズの端部にカット面を形成してそのカット面に直接塗料を塗布したり、染色を行うことで、眼鏡用レンズに装飾を施す装飾方法があった（例えば、特許文献１参照。）。
この眼鏡用レンズの装飾方法では、眼鏡用レンズに安定した品質の装飾を施すことができ、デザイン性や装飾性を向上させることができた。
【０００３】
【特許文献１】特開平１０−３０７２８１号公報（第３頁−第４頁、図１−図５）
【考案の開示】
【考案が解決しようとする課題】
【０００４】
しかしながら、上述した眼鏡用レンズの装飾方法では、レンズ面の一部領域に粗面加工を行ったり、あるいは、レンズの端部にカット面を形成した後で、粗面加工領域あるいはカット面形成領域に、塗料による塗装、マスキングによる模様塗装、染色液による染色、金属膜の蒸着等を施すことによって、レンズ面それ自体に装飾加工が施されるため、一旦、レンズ面に装飾加工が施された後では、装飾デザインの変更が困難であった。すなわち、一旦、レンズ面に装飾加工が施された後で、レンズ面に形成された装飾模様等のデザインを変更したい場合には、その都度、別の眼鏡レンズに取り替えて、再度、装飾加工を施す必要があり、非常に手間のかかるものであった。
したがって、この眼鏡用レンズの装飾方法では、単一の眼鏡用レンズで眼鏡使用者の多種多様なデザイン変更の要望に十分に対応することができなかった。
また、上述した従来の眼鏡用レンズの装飾方法では、レンズ面の一部領域に粗面加工を行うために、予め研磨塗料が塗布された弾性パッドを取付けた超音波振動子を有する粗面加工機、超音波振動子の振動幅や振動時間を制御するための電流制御手段やタイマー等が必要となる。
すなわち、この眼鏡用レンズの装飾方法では、高価で特殊な機器や設備が必要となり、それを使いこなす特殊技術を有する作業者も必要となるため、製造に手間がかかる上、製造コストも高くつくものであった。
【０００５】
それゆえに、本願考案の主たる目的は、眼鏡レンズに所望する装飾体を簡単に付与することができ、しかも、眼鏡レンズを取り替えることなく、適宜、装飾体のデザイン変更が可能となる、眼鏡レンズの装飾構造を提供することである。
【課題を解決するための手段】
【０００６】
請求項１にかかる本願考案は、レンズと、レンズの表面で視界の邪魔にならない部位に配置される装飾体と、装飾体を取り替え可能にレンズに取付ける取付手段とを含むことを特徴とする、眼鏡レンズの装飾構造である。
請求項２にかかる本願考案は、請求項１にかかる考案に従属される考案であって、取付手段は、ねじ結合により、装飾体をレンズに取り替え可能に接続することを含む、眼鏡レンズの装飾構造である。
請求項３にかかる本願考案は、請求項１にかかる考案に従属される考案であって、取付手段は、凹凸による嵌め合い結合により、装飾体をレンズに取り替え可能に接続することを含む、眼鏡レンズの装飾構造である。
請求項４にかかる本願考案は、レンズと、レンズの一方主面に配置され、レンズを智および／またはブリッジに止めるためのレンズ止め部材と、レンズの一方主面とレンズ止め部材との間に配置され、且つ、レンズの一方主面の視界の邪魔にならない部位に配置される装飾体と、レンズとレンズ止め部材とを固定するためのねじ部材と、ねじ部材に螺合されるねじ螺合部材とを含み、装飾体は、ねじ部材およびねじ螺合部材によって、レンズ止め部材と共にレンズに取付けられることを特徴とする、眼鏡レンズの装飾構造である。
請求項５にかかる本願考案は、請求項３にかかる考案に従属される考案であって、装飾体は、弾性を備えると共にレンズ表面の曲率よりも大きい曲率を有するプレート片からなる装飾体本体と、装飾体本体の一方主面に配設される凸部とを含み、レンズは、凸部と嵌め合わされる凹部を含むことを特徴とする、眼鏡レンズの装飾構造である。
請求項６にかかる本願考案は、請求項１にかかる考案に従属される考案であって、取付手段は、タック性を有する接着剤層により、装飾体をレンズに着脱自在に接続することを含む、眼鏡レンズの装飾構造である。
【０００７】
請求項１にかかる本願考案の眼鏡レンズの装飾構造では、特に、装飾体がレンズの表面で視界の妨げにならない場所に設けられる。しかも、装飾体は、取付手段によって取り替え可能にレンズ表面に取付けられているため、従来技術（例えば、特許文献１参照。）に比べて、レンズはそのままで取り替えることなく、適宜、装飾体だけを使用者の好みに応じたデザイン形状、色、大きさ等を有する別の装飾体に取り替えることができる。
請求項２にかかる本願考案の眼鏡レンズの装飾構造では、特に、取付手段がねじ結合による方式のため、比較的簡単に、レンズから装飾体を取外して、別の装飾体に取り替えることが可能となる。
請求項３にかかる本願考案では、特に、取付手段が凹凸の嵌め合い結合による方式のため、より一層簡単に、レンズから装飾体を取外して、別の装飾体に取り替えることが可能となる。
請求項４かかる本願考案の眼鏡レンズの装飾構造では、レンズ止め部材により、レンズが智および／またはブリッジに固定される。レンズの一方主面とレンズ止め部材との間に配置された装飾体は、ねじ部材およびねじ螺合部材により、レンズ表面の視界の邪魔にならない部位に取付けられる。この場合、装飾体は、ねじ部材とねじ螺合部材との螺合結合によって、レンズ表面とレンズ止め部材との間に挟持された状態で締結される。したがって、ねじ部材とねじ螺合部材との螺合結合を解除することによって、装飾体をレンズ表面から容易に取外して、たとえば使用者の好みに応じたデザイン形状、色、大きさ等を有する別の装飾体と適宜取り替えることが可能となる。
請求項５にかかる本願考案の眼鏡レンズの装飾構造では、装飾体本体が、弾性を有し、且つ、レンズ表面の曲率よりも大きい曲率を有するプレート片で形成されているので、装飾体をレンズ表面に取付けたとき、装飾体本体はその屈曲する方向に付勢される。この場合、装飾体本体はレンズ表面に押付けられると共に、装飾体の凸部は、装飾体本体の付勢力により、レンズの凹部の内面を付勢方向に向いて押圧する。そのため、装飾体は、レンズ面の曲面に沿って、レンズから不用意に離間しないように、レンズ面に固定される。
請求項６にかかる本願考案の眼鏡レンズの装飾構造では、特に、取付手段がタック性を有する接着剤層で装飾体を着脱自在にレンズ表面に接続する構成を有するため、さらに一層、簡単に、レンズから装飾体を取外して、別の装飾体に取り替えることが可能となる。
【考案の効果】
【０００８】
本願考案によれば、眼鏡レンズに所望する装飾体を簡単に付与することができ、しかも、眼鏡レンズを取り替えることなく、適宜、装飾体のデザイン変更が可能となる、眼鏡レンズの装飾構造が得られる。
【０００９】
この考案の上述の目的、その他の目的、特徴および利点は、図面を参照して行う以下の考案を実施するための最良の形態の説明から一層明らかとなろう。
【考案を実施するための最良の形態】
【００１０】
図１は、本願考案にかかる眼鏡レンズの装飾構造が適用された眼鏡の一例を示す斜視図である。図２は、図１に示す眼鏡レンズの装飾構造の要部を示す断面図であり、図３は、図２の分解図である。図１，図２および図３では、眼鏡の一例としてのたとえば縁無し眼鏡に、本願考案にかかる眼鏡レンズの装飾構造が適用されている。
眼鏡１０は、所望の玉形形状のレンズ１２を含む。レンズ１２は、プラスチック材料ないしガラス材料等で形成される。レンズ１２は、該レンズ１２の端縁近傍に、たとえば正面視円形のレンズ孔１４を有する。レンズ孔１４は、レンズ１２の一方主面から他方主面にかけて貫通するものである。レンズ孔１４は、レンズ１２の端縁からレンズ１２の中央側へたとえば３ｍｍ程度寄った位置に配設される。レンズ孔１４の孔径φは、たとえば２．０ｍｍ〜２．２ｍｍ程度に形成される。
【００１１】
レンズ１２には、特に、たとえば図１に示すように、テンプルＴにつながるフロント両側の智１６およびフロント中央のブリッジ１８が取付けられて固定される。レンズ１２の一方主面側（レンズ１２の正面側）には、レンズ１２に智１６およびブリッジ１８を締め付けて固定するためのねじ部材２０が配置される。また、レンズ１２の他方主面側（レンズ１２の背面側）には、レンズ１２の他方主面側に突出したねじ部材２０に螺合されるねじ螺合部材２２が配置される。
【００１２】
この場合、レンズ１２の一方主面側（レンズ１２の正面側）からは、レンズ１２を智１６およびブリッジ１８に接続するためのレンズ止め部材２４が配置される。レンズ止め部材２４は、ベース貫通孔２６ａを有する正面視円盤状のベース２６を含む。ベース２６は、断面略Ｊ字形の支持片２８により、ベース貫通孔２６ａとレンズ孔１４とが対応する位置に支持される。すなわち、支持片２８の長さ方向の一端部には、ベース２６が形成され、支持片２８の長さ方向の他端部には、レンズ１２の側端縁面に当接され、レンズ１２を側端から支持する当接片３０が形成される。ベース２６、支持片２８、当接片３０および智１６は、たとえばプラスチック材料および／または金属材料で一体的に形成される。
レンズ１２とレンズ止め部材２４とは、ねじ部材２０およびねじ螺合部材２２により止められる。
【００１３】
次に、図１，図２および図３に示す眼鏡１０に適用される眼鏡レンズの装飾構造について説明する。この眼鏡１０では、特に、図１に示すように、レンズ１２の一方主面側（レンズ１２の正面側）に、装飾部として、たとえば円弧状のプレート片からなる装飾体３２が配設される。装飾体３２は、たとえばプラスチック材料で形成され、適宜、着色されている。
装飾体３２は、特に、図３に示すように、レンズ止め部材２４のベース貫通孔２６ａと対応し連通する取付孔３４を有する。装飾体３２は、レンズ１２の表面の曲面形状にフィットして沿うよう、弾性を備えたプラスチック材料でたとえば厚さ１ｍｍ程度に形成される。装飾体３２は、たとえばアセテートおよびポリカーボネイトで形成される。
【００１４】
装飾体３２は、レンズ１２の一方主面側（レンズ１２の正面側）で、眼鏡１０の使用者の視界の邪魔にならない位置に配置される。この場合、レンズ１２の大きさにもよるが、大凡、レンズ１２の周縁端からレンズ１２の内側に５ｍｍ程度の範囲内に配置されることが好ましい。図１に示す眼鏡１０では、レンズ１２の正面右端側に装飾体３２が配置される。装飾体３２は、レンズ１２の一方主面側（レンズ１２の正面側）と、それと対向するレンズ止め部材２４の内側面との間に配置される。装飾体３２は、眼鏡１０の使用者の視界の邪魔にならない位置であればレンズ１２の任意の部位に配置することが可能である。
【００１５】
装飾体３２は、ねじ部材２０およびねじ螺合部材２２を利用して、レンズ１２の一方主面側（レンズ１２の正面側）に取付けられる。すなわち、装飾体３２は、特に、図３に示すように、レンズ１２とレンズ止め部材２４との間に配置され、ねじ部材２０およびねじ螺合部材２２により、レンズ止め部材２４と共にレンズ１２に締結されることによって、レンズ１２の一方主面側（レンズ１２の正面側）に固定されるものとなる。
【００１６】
なお、上述した眼鏡１０では、図１に示すように、装飾体３２がレンズ１２の正面右端側に配置されたが、装飾体３２は、使用者の視界の妨げにならない場所であれば、たとえば図４に示すように、主として、レンズ１２の正面右上隅側の円弧状のラインに沿って配置されてもよく、また、たとえば図５に示すように、主として、レンズ１２の正面右上隅側の円弧状のラインから正面右下隅側の円弧状のラインに沿って配置されてもよい。
【００１７】
また、図１〜図３で示した眼鏡１０では、レンズ止め部材２４がレンズ１２の一方主面側（正面側）に配置されて表止めされるものとなっていたが、レンズ止め部材２４は、たとえばレンズ１２の他方主面側（背面側）に配置されて裏止めされるものであってもよい。
【００１８】
さらに、上述した眼鏡１０では、ねじ部材２０として、金属材料からなる十字穴付き小ねじ等が用いられている。ねじ部材２０には、十字穴以外のすりわり形状を有するすりわり付き小ねじや止めねじ、あるいは、六角ボルト，四角ボルトを用いてもよく、材質も金属製以外に、樹脂製のものも用いることができる。
また、上述した眼鏡１０では、ねじ螺合部材２２として、金属材料からなる六角ナットが用いられている。ねじ螺合部材２２には、四角ナット、その他の多角形状のナットを用いてもよく、材質も金属製以外に、樹脂製のものも用いることができる。
【００１９】
図１〜図３、図４および図５に示した眼鏡１０に適用される眼鏡レンズの装飾構造では、それぞれ、装飾体３２がねじ部材２０およびねじ螺合部材２２によりレンズ１２の一方主面側（レンズ１２の正面側）に固定されているので、ねじ部材２０およびねじ螺合部材２２とレンズ１２との締結を解除することによって、装飾体３２を眼鏡１０から簡単に取外すことができる。
そのため、図１〜図３、図４および図５に示した眼鏡１０では、それぞれ、使用者の要望に応じて、レンズ１２に付与される装飾体３２だけを別のデザイン形状、大きさ、色等を有する別の装飾体３２に適宜取り替えることができる。
【００２０】
図６は、本願考案にかかる他の眼鏡レンズの装飾構造が適用された眼鏡の一例を示す要部斜視図である。図６に示す眼鏡１０では、本願考案にかかる眼鏡レンズの装飾構造がたとえば縁有り眼鏡に適用されている。
図６に示す眼鏡１０における眼鏡レンズの装飾構造は、図１〜図３、図４および図５に示した眼鏡１０の眼鏡レンズの装飾構造と比べて、特に、装飾体とレンズとの接続構造が相違している。図１〜図３、図４および図５に示した眼鏡１０では、ねじ部材２０およびねじ螺合部材２２によるねじ結合により、装飾体３２とレンズ１２とが取外し可能に接続されたが、図６に示す眼鏡１０では、凸部と凹部との嵌め合い結合によって、装飾体３６とレンズ１２とが着脱自在に接続されている。
【００２１】
すなわち、図６に示す眼鏡１０では、装飾体３６がレンズ１２の正面側に配置される。装飾体３６は、所望するデザイン形状、大きさ、色を有するプレート片からなる装飾体本体３８を含む。装飾体本体３８は、たとえば図７の上側に示すように、所定の曲率を有する曲面に形成される。この場合、装飾体本体３８の曲面の曲率は、レンズ１２の表面の曲率よりも大きく形成されている。また、該装飾体本体３８には、その長手方向に所定の間隔を隔てて、たとえば円柱状の２つの凸部４０が配設される。装飾体本体３８と２つの凸部４０とは、弾性を備えたプラスチック材料で一体的に形成されている。
【００２２】
一方、レンズ１２の正面側には、図７の下側に示すように、レンズ１２と装飾体３６とを嵌め合い結合させるための２つの凹部４２が配設される。２つの凹部４２は、上記２つの凸部４０と略対応する位置に配設され、たとえば有底円筒状の穴で構成される。
【００２３】
装飾体３６に配設された２つの凸部４０をレンズ１２に配設された２つの凹部４２に挿入して嵌め込むことによって、装飾体３６がレンズ１２に取付けられる。この場合、装飾体本体３８が弾性を有し、且つ、装飾体本体３８の曲面の曲率がレンズ１２の曲率よりも大きく形成されているので、装飾体３６をレンズ１２に取付けたとき、装飾体本体３８は、屈曲する方向に付勢されるものとなる。そのため、装飾体３６はレンズ１２面に押付けられ、且つ、該装飾体３６の２つの凸部４０は、装飾体本体３８の付勢力により、レンズ１２の２つの凹部４２の内周面を該付勢方向に向けて押圧する。したがって、装飾体３６は、不用意にレンズ１２の表面から外れることがないように、レンズ１２面の曲面に沿って、レンズ１２に取付けられることになる。
【００２４】
すなわち、図６に示す眼鏡１０では、凸部４０と凹部４２との嵌め合い結合によって、装飾体３６とレンズ１２とが着脱自在に接続されているため、図１〜図５に示した各眼鏡１０よりも容易に、使用者の要望に応じて、レンズ１２に付与される装飾体３６だけを別のデザイン形状、大きさ、色等を有する別の装飾体３６に適宜取り替えることができる。
【００２５】
図９は、本願考案にかかるさらに他の眼鏡レンズの装飾構造の一例を示す要部断面図である。図９に示す装飾構造では、図１〜図５に示した眼鏡１０および図６〜図８に示した眼鏡１０と比べて、装飾体３６が接着剤層によってレンズ１２面に着脱自在に取付けられている。すなわち、装飾体３６は、所望のデザイン形状を有するシート基材からなる装飾体本体３８を含み、装飾体本体３８の一方主面（裏面）には、タック性、つまり、再剥離・再貼付性を有する再接着性接着剤層等の接着剤層４４が形成されている。
【００２６】
なお、図９で示した装飾体３６の構造、レンズ１２と装飾体３６との接続構造は、たとえば図６〜図８に示した装飾体３６の構造、レンズ１２と装飾体３６との接続構造に代えて、適宜、用いられてもよく、また、図１〜図５に示した装飾体３２の構造、レンズ１２と装飾体３２との接続構造に代えて、適宜、用いられてもよい。
【００２７】
さらに、本願考案にかかる眼鏡レンズの装飾構造に適用される装飾体としては、たとえば図１〜図９で示した装飾体３２ないし装飾体３６に代えて、たとえば図１０に示すように、シート状の装飾体本体４８の表面に所望する動物、植物、人物、模様、文字、記号等を模った表示部５０を印刷および写真等により形成した装飾体４６であってもよく、また、図１１に示すように、装飾体５２自体を所望するデザイン形状に模ったもので形成するようにしてもよい。
【産業上の利用可能性】
【００２８】
本願考案にかかる眼鏡レンズの装飾構造は、縁無し眼鏡、縁有り眼鏡、鼻眼鏡、読書用眼鏡、サングラス、オペラグラス、ローネット、モノクル等、種々の眼鏡レンズに用いて好適なものである。
【図面の簡単な説明】
【００２９】
【図１】本願考案にかかる眼鏡レンズの装飾構造が適用された眼鏡の一例を示す斜視図である。
【図２】図１に示す眼鏡レンズの装飾構造の要部を示す断面図である。
【図３】図２の分解図である。
【図４】図１，図２，図３に示す眼鏡レンズの装飾構造の変形例を示す要部斜視図である。
【図５】図１，図２，図３に示す眼鏡レンズの装飾構造の他の変形例を示す要部斜視図である。
【図６】本願考案にかかる他の眼鏡レンズの装飾構造が適用された眼鏡の一例を示す要部斜視図である。
【図７】図６に示す眼鏡レンズの装飾構造の要部を示す分解断面図である。
【図８】図６，図７の眼鏡における眼鏡レンズと装飾体との取付状態を示す要部断面図である。
【図９】本願考案にかかるさらに他の眼鏡レンズの装飾構造の一例を示す要部断面図である。
【図１０】本願考案にかかる眼鏡レンズの装飾構造が適用された他の眼鏡の一例を示す要部斜視図である。
【図１１】本願考案にかかる眼鏡レンズの装飾構造が適用されたさらに他の眼鏡の一例を示す要部斜視図である。
【符号の説明】
【００３０】
１０  眼鏡
１２  レンズ
１４  レンズ孔
１６  智
１８  ブリッジ
２０  ねじ部材
２２  ねじ螺合部材
２４  レンズ止め部材
２６  ベース
２６ａ  ベース貫通孔
２８  支持片
３０  当接片
３２，３６，４６，５２  装飾体
３４  取付孔
３８，４８  装飾体本体
４０  凸部
４２  凹部
４４  接着剤層
５０  表示部
Ｔ  テンプル
【図１】
0003102485.tif 000003
【図２】
0003102485.tif 000004
【図３】
0003102485.tif 000005
【図４】
0003102485.tif 000006
【図５】
0003102485.tif 000007
【図６】
0003102485.tif 000008
【図７】
0003102485.tif 000009
【図８】
0003102485.tif 000010
【図９】
0003102485.tif 000011
【図１０】
0003102485.tif 000012
【図１１】
0003102485.tif 000013